(57)【特許請求の範囲】
【請求項１】
本体部と、
前記本体部に取り付けられ、前記本体部に対して移動可能な一対の幅測定部と、
前記本体部に取り付けられる一対の電圧電極と、
前記一対の幅測定部のそれぞれに取り付けられ、前記幅測定部に対して移動可能な一対の電流電極と、
前記幅測定部が前記本体部に対して移動することにともない前記電流電極を前記幅測定部に対して前記本体部の前後方向に移動させる電極位置調整機構と
を備える体組成測定装置。
【請求項２】
前記電流電極が前記幅測定部に対して移動する軌道と前記本体部の幅方向とのなす角が鋭角である
請求項１に記載の体組成測定装置。
【請求項３】
前記電極位置調整機構は前記幅測定部が前記本体部に対して移動することにともない前記電圧電極を前記本体部に対して前記本体部の幅方向に移動させる
請求項１または２に記載の体組成測定装置。
【請求項４】
本体部と、
前記本体部に取り付けられ、前記本体部に対して移動可能な一対の幅測定部と、
前記本体部に取り付けられ、前記本体部に対して移動可能な一対の電圧電極と、
前記一対の幅測定部のそれぞれに取り付けられる一対の電流電極と、
前記幅測定部が前記本体部に対して移動することにともない前記電圧電極を前記本体部に対して前記本体部の幅方向に移動させる電極位置調整機構と
を備える体組成測定装置。
【請求項５】
前記電圧電極が前記本体部に対して移動する軌道と前記本体部の幅方向とが平行である
請求項３または４に記載の体組成測定装置。
【請求項６】
前記本体部は幅方向の外側から内側に向かうにつれて後方側から前方側に向けて傾斜する面を備え、
前記幅測定部は前記面に沿って移動可能である
請求項１〜５のいずれか一項に記載の体組成測定装置。
【発明の詳細な説明】
【技術分野】
【０００１】
本発明は一対の電流電極対および一対の電圧電極対を備える体組成測定装置に関する。
【背景技術】
【０００２】
今日では、脂肪や筋肉などの人体の体組成の電気的抵抗が異なることを利用して体組成を測定する体組成測定装置（体脂肪測定装置）が知られている。体組成測定装置には、例えば、特許文献１のように電極を帯の中に組み込んだものや、特許文献２のように電極を有する筐体部の各々が分離できるように構成されたものがある。
【先行技術文献】
【特許文献】
【０００３】
【特許文献１】特開平１１−３０９１２３号公報
【特許文献２】特開２００１−１９０５１３号公報
【発明の概要】
【発明が解決しようとする課題】
【０００４】
ところで、体組成を測定する際には、電圧を測定するための電圧電極対を人体の所定部位に適切に接触させる必要がある。しかし、特許文献１に記載された体組成測定装置では、体組成測定装置を使用する使用者の体型（腹囲の大きさ）によって、体組成を精度良く測定することができない虞がある。
【０００５】
具体的には、図１１に示すように、腹囲が大きい使用者が、腹部１９１における体組成を測定するために特許文献１に記載された体組成測定装置１０１を使用した場合、電流電極対１２０及び電圧電極対１３０が人体１０９の前面寄りに位置することになる。一方で、図１２に示すように、腹囲が小さい使用者が、腹部１９１における体組成を測定するために特許文献１に記載された体組成測定装置１０１を使用した場合、電流電極対１２０及び電圧電極対１３０が人体１０９の側面寄りに位置することになる。つまり、腹囲の大きい使用者と腹囲の小さい使用者では、同じ体組成測定装置１０１を使用しても電圧電極対が接触する人体の部位が異なる。そのため、腹囲の大きい使用者と腹囲の小さい使用者では、体組成を測定する部位に対して電極が位置する場所が違うので、異なる部位にかかる電圧の値を電圧電極対によって測定していることになり、体組成の測定が精度良く行われているとは言えなかった。
【０００６】
また、特許文献２に記載された体組成測定装置では、電圧電極対を構成する電極を使用者の任意の位置に配置させることができるものの、その配置の自由度が高すぎるが故に、電圧電極対が適切な位置に配置されない虞がある。したがって、特許文献２に記載された体組成測定装置においても、体組成を精度良く測定することができない虞がある。
【０００７】
本発明の目的は、電極が配置される部位が使用者の腹囲に応じて変化することを抑制可能な体組成測定装置を提供することである。
【課題を解決するための手段】
【０００８】
本発明に従う体組成測定装置の一形態は、本体部と、前記本体部に取り付けられ、前記本体部に対して移動可能な一対の幅測定部と、前記本体部に取り付けられる一対の電圧電極と、前記一対の幅測定部のそれぞれに取り付けられ、前記幅測定部に対して移動可能な一対の電流電極と、前記幅測定部が前記本体部に対して移動することにともない前記電流電極を前記幅測定部に対して前記本体部の前後方向に移動させる電極位置調整機構とを備える。
本発明に従う体組成測定装置の別の一形態は、本体部と、前記本体部に取り付けられ、前記本体部に対して移動可能な一対の幅測定部と、前記本体部に取り付けられ、前記本体部に対して移動可能な一対の電圧電極と、前記一対の幅測定部のそれぞれに取り付けられる一対の電流電極と、前記幅測定部が前記本体部に対して移動することにともない前記電圧電極を前記本体部に対して前記本体部の幅方向に移動させる電極位置調整機構とを備える。
【発明の効果】
【００１３】
上記体組成測定装置は、電極が配置される部位が使用者の腹囲に応じて変化することを抑制可能である。
【図面の簡単な説明】
【００１４】
【図１】は第１実施形態の体組成測定装置の使用状態を示す正面図である。
【図２】は図１の体組成測定装置のブロック図である。
【図３】は図１の体組成測定装置の斜視図である。
【図４】は図１の体組成測定装置の内部の平面図である。
【図５】は図４の電流電極の軌道を示す平面図である。
【図６】は図４の電圧電極の軌道を示す平面図である。
【図７】は第２実施形態の幅測定部の内部構造を示す平面図である。
【図８】は第３実施形態の本体部の中間部分の内部構造を示す平面図である。
【図９】は変形例の本体部の右側部分の内部構造を示す平面図である。
【図１０】は変形例の体組成測定装置の斜視図である。
【図１１】は従来の体組成測定装置の平面図である。
【図１２】は従来の体組成測定装置の平面図である。
【発明を実施するための形態】
【００１５】
（体組成測定装置が取り得る形態の一例）
〔１〕本発明に従う体組成測定装置の一形態は、本体部と、前記本体部に取り付けられ、前記本体部に対して移動可能な一対の幅測定部と、前記本体部に取り付けられる一対の電圧電極と、前記一対の幅測定部のそれぞれに取り付けられ、前記幅測定部に対して移動可能な一対の電流電極と、前記幅測定部が前記本体部に対して移動することにともない前記電流電極を前記幅測定部に対して前記本体部の前後方向に移動させる電極位置調整機構とを備える。
〔２〕前記体組成測定装置の一例は、前記電流電極が前記幅測定部に対して移動する軌道と前記本体部の幅方向とのなす角が鋭角である。
〔３〕前記体組成測定装置の一例は、前記電極位置調整機構は前記幅測定部が前記本体部に対して移動することにともない前記電圧電極を前記本体部に対して前記本体部の幅方向に移動させる。
〔４〕本発明に従う体組成測定装置の別の一形態は、本体部と、前記本体部に取り付けられ、前記本体部に対して移動可能な一対の幅測定部と、前記本体部に取り付けられ、前記本体部に対して移動可能な一対の電圧電極と、前記一対の幅測定部のそれぞれに取り付けられる一対の電流電極と、前記幅測定部が前記本体部に対して移動することにともない前記電圧電極を前記本体部に対して前記本体部の幅方向に移動させる電極位置調整機構とを備える。
〔５〕前記体組成測定装置の一例は、前記電圧電極が前記本体部に対して移動する軌道と前記本体部の幅方向とが平行である。
〔６〕前記体組成測定装置の一例は、前記本体部は幅方向の外側から内側に向かうにつれて後方側から前方側に向けて傾斜する面を備え、前記幅測定部は前記面に沿って移動可能である。
【００１６】
（第１実施形態）
図１〜図６を参照して、本発明の第１実施形態について説明する。
図１に示すように、体脂肪測定装置である体組成測定装置１は、測定対象者の人体９において、人体９の測定部位となる腹部９１に当てて用いられる。すなわち、体組成測定装置１による体脂肪の測定対象となる測定部位は、腹部９１である。人体９の腹部９１に対する体組成測定装置１の位置関係の決定は、例えば、腹部９１における臍９２を用いて行うことができる。
図２に示すように、体組成測定装置１は、体組成の計測を行うための電極群２と、電極群２を用いた体組成の測定動作を制御する制御部１１と、体組成の測定動作を操作するための操作部１２と、体組成の測定結果を表示する表示部１３と、を備えている。
【００１７】
電極群２は、複数の電極２１，２２，３１，３２により構成されている。具体的には、電極群２は、電流を流すための電流電極として、第１電流電極２１と第２電流電極２２を備えている。第１電流電極２１と第２電流電極２２により、電流電極対２０が構成されている。電流電極２１，２２は、電線を介して制御部１１に接続されている。
【００１８】
また、電極群２は、電圧を測定するための電圧電極として、第１電圧電極３１と第２電圧電極３２を備えている。第１電圧電極３１と第２電圧電極３２により、電圧電極対３０が構成されている。電圧電極３１，３２は、電線を介して制御部１１に接続されている。
【００１９】
また、制御部１１は、例えばマイクロコンピュータにより構成された集積回路である。制御部１１には、体脂肪の測定の開始を指示する信号等が入力される。制御部１１は、体脂肪の測定の開始を指示する信号を入力すると、体組成である体脂肪の測定を開始する。体脂肪の測定を開始するとき、制御部１１は、電流電極２１，２２間に電流を流す。そして、制御部１１は、電圧電極３１，３２を用いて、電圧電極３１，３２間にかかる電圧を測定する。また、制御部１１は、電圧の測定結果に基づいて、測定部位の体脂肪を測定する。そして、制御部１１は、体脂肪の測定結果を示す信号を表示部１３に出力する。
【００２０】
操作部１２は、スイッチやボタン等により構成された入力用マンマシンインタフェースである。操作部１２は、電線を介して制御部１１に接続されている。操作部１２が操作されることにより、体脂肪の測定を開始する信号が制御部１１に入力される。
【００２１】
表示部１３は、例えば液晶パネルにより構成された出力用マンマシンインタフェースである。表示部１３は、電線を介して制御部１１に接続されている。表示部１３は、制御部１１から入力される体脂肪の測定結果を示す信号に基づいて、体脂肪の測定結果を表示する。
【００２２】
次に、本実施形態における体組成測定装置１において電極群２の配置等について、図３に基づき説明する。
図３に示すように、体組成測定装置１は、略Ｖ字形状に折れ曲がった直方体で、中身が空洞となっている本体部４１を備えている。略Ｖ字形状に形成された本体部４１は、図３において前方に向かって凸となり、後方に向かって凹となるように配置されている。本体部４１の側面のうち後方（以下、「内側」と示す場合がある）に位置する面の凹底部となる面４１ｃは、左右方向に形成されている。また、本体部４１の後方に位置する面のうち面４１ｃ両端から左右方向へ広がるように延びる面４１ａ，４１ｂは、本体部４１を２等分する面と直交する方向から、前方へ角度φをなして形成されている。なお、角度φは、本実施形態における体組成測定装置１を使用する使用者として想定される対象者のうち、最大の腹部９１の横幅と前後幅、及び最小の腹部９１の横幅と前後幅の比率により決定される。また、人間の腹部９１は基本的に横長なので、角度φは４５°以下となる。
【００２３】
また、面４１ｃには、左右方向に移動枠２６ａ，移動枠２６ｂが本体部４１の内部に貫通するように形成されている。移動枠２６ａは、面４１ｃにおいて、本体部４１を左右に２等分する面よりも左側に形成されている。一方、移動枠２６ｂは、面４１ｃにおいて、本体部４１を左右に２等分する面よりも右側に形成されている。そして、本体部４１には、移動枠２６ａに沿って移動可能に直方体の形状をした電圧電極支持部３３Ｌが固定されているとともに、移動枠２６ｂに沿って移動可能に直方体の形状をした電圧電極支持部３３Ｒが固定されている。また、電圧電極支持部３３Ｌ，３３Ｒには、使用者の測定部位と接触する方向に（図３では、後方に）向けて、電圧電極３１，３２がそれぞれ設けられている。
【００２４】
本体部４１の内部には、制御部１１が内蔵されている。また、図３において本体部４１の上面４１ｄには、操作部１２及び表示部１３が設けられる。また、本体部４１の上面４１ｄには、人体９の測定部位となる腹部９１と、体組成測定装置１と、の位置関係を決めるために、使用者の人体９において基準部位となる臍９２と位置合わせされる位置基準点としての指標部１４が設けられている。指標部１４は、本体部４１の上面４１ｄにおいて、本体部４１を左右に２等分する対称線ＴＳ上に設けられている。また、本体部４１は、本体部４１を左右に２等分する対称線ＴＳを対称軸として、左右対称となるように構成されている。
【００２５】
本体部４１の面４１ａには、左右方向に移動枠２６ｃが本体部４１の内部に貫通するように形成されている。そして、本体部４１には、移動枠２６ｃを介して、面４１ａに沿って左右方向及び前後方向へ移動可能に左幅測定部５０Ｌが固定されている。左幅測定部５０Ｌは、略直方体の形状をなしており、内部は空洞となっている。また、左幅測定部５０Ｌの側面のうち右側（内側）に位置する面５０Ｌａは、本体部４１を左右に２等分する面と平行するように形成されている。また、左幅測定部５０Ｌの側面のうち本体部４１の面４１ａと接する面は、本体部４１を左右に２等分する面に直交する方向から、前方へ角度φをなして形成されている。このため、本体部４１の面４１ａに沿って左幅測定部５０Ｌの位置が移動する場合でも、左幅測定部５０Ｌの面５０Ｌａは、本体部４１を左右に２等分する面との平行関係が維持されるようになっている。また、左幅測定部５０Ｌの側面のうち左側（外側）に位置する面５０Ｌｂには、把持可能な把持部４０Ｌが形成されている。体組成測定装置１の使用者は、把持部４０Ｌを把持して、左幅測定部５０Ｌの位置を移動させることができるようになっている。
【００２６】
同様に、本体部４１の面４１ｂに本体部４１の内部に貫通するように形成された移動枠２６ｄを介して、左右方向及び前後方向へ移動可能に右幅測定部５０Ｒが本体部４１に固定されている。そして、右幅測定部５０Ｒは、対称線ＴＳを対称軸として左幅測定部５０Ｌと左右対称の関係となる形状をなしている。同様に、体組成測定装置１の使用者は、右幅測定部５０Ｒの面５０Ｒｂに形成された把持部４０Ｒを把持して、右幅測定部５０Ｒの位置を移動させることができるようになっている。
【００２７】
また、左幅測定部５０Ｌの面５０Ｌａには、左幅測定部５０Ｌの内部に貫通するように移動枠２６ｅ（図４に示す）が前後方向に形成されている。そして、左幅測定部５０Ｌには、移動枠２６ｅを介して、前後方向へ移動可能に電流電極支持部２３Ｌが固定されている。電流電極支持部２３Ｌは、長板状をなしており、先端には使用者の測定部位と接触する方向（図３では、右後方）を向けて電流電極２１が設けられている。同様に、右幅測定部５０Ｒには、電流電極支持部２３Ｒが右幅測定部５０Ｒの内部を貫通するように形成された移動枠２６ｆを介して前後方向へ移動可能に固定されている。電流電極支持部２３Ｒは、電流電極支持部２３Ｌと同様、長板状をなしており、先端には使用者の測定部位と接触する方向（図３では、左後方）を向けて電流電極２２が設けられている。
【００２８】
以下、本体部４１に対する、電圧電極支持部３３Ｌ，３３Ｒ、左幅測定部５０Ｌ及び右幅測定部５０Ｒの連結態様について、図４に基づき詳しく説明する。図４では、本実施形態における体組成測定装置１の内部を、上方から下方へ見たときの平面図を示している。
【００２９】
図４に示すように、幅測定部５０Ｌ，５０Ｒには、本体部４１の内部に収納されるように前方へ突出した平面状の突出部４７Ｌ，４７Ｒが形成されており、突出部４７Ｒ，４７Ｌの先端には、幅調節用ピニオン５１Ｌ，５１Ｒが回転可能に固定されている。また、本体部４１の内部において面４１ａ，４１ｂには、幅調節用ピニオン５１Ｌ，５１Ｒと互いに噛み合うように、面４１ａ，４１ｂに沿って幅調節用ラック５２Ｌ，５２Ｒが設けられている。また、本体部４１の内部において本体部４１の下面４１ｅには、幅調節用ラック５２Ｌ，５２Ｒと平行するように調節補助経路４９Ｌ，４９Ｒが溝をなして形成されている。そして、幅調節用ピニオン５１Ｌ，５１Ｒの軸には図示しない係合部が下方へ突出して形成されており、当該係合部が調節補助経路４９Ｌ，４９Ｒの溝内を移動するようになっている。また、本体部４１には幅調節用ピニオン５１Ｌ，５１Ｒの軸に形成された係合部が調節補助経路４９Ｌ，４９Ｒの溝から外れないように、幅測定部５０Ｒ，５０Ｌを上方から下方へ押さえつける部材が設けられている。幅測定部５０Ｌ，５０Ｒは、本体部４１に設けられた幅調節用ラック５２Ｌ，５２Ｒと、幅測定部５０Ｌ，５０Ｒに設けられた幅調節用ピニオン５１Ｌ，５１Ｒによるラック・ピニオン構造を介して、本体部４１と連結されている。
【００３０】
また、幅測定部５０Ｌ，５０Ｒには、幅調節用ピニオン５１Ｌ，５１Ｒと同軸にて回転可能な上部連結用ギア５３Ｌ，５３Ｒが設けられている。上部連結用ギア５３Ｌ，５３Ｒは、幅調節用ピニオン５１Ｌ，５１Ｒの回転に連動して、幅調節用ピニオン５１Ｌ，５１Ｒと同じ方向に回転するように、幅測定部５０Ｌ，５０Ｒに固定されている。また、本体部４１に幅測定部５０Ｌ，５０Ｒが連結された際に、本体部４１の内部に収納されない幅測定部５０Ｌ，５０Ｒの内部には、下部連結用ギア５４Ｌ，５４Ｒが設けられている。下部連結用ギア５４Ｌ，５４Ｒは、上部連結用ギア５３Ｌ，５３Ｒの軸中心を通り対称線ＴＳと平行関係となる線ＨＳＬ上に、下部連結用ギア５４Ｌ，５４Ｒの軸中心が位置するよう、幅測定部５０Ｌ，５０Ｒの内部に固定されている。
【００３１】
また、左幅測定部５０Ｌの突出部４７Ｌ先端に固定された上部連結用ギア５３Ｌと、左幅測定部５０Ｌの内部に固定された下部連結用ギア５４Ｌは、タイミングベルト５５Ｌによって連動するように構成されている。このため、上部連結用ギア５３Ｌと、下部連結用ギア５４Ｌは同じ方向に回転するようになっている。同様に、右幅測定部５０Ｒの突出部４７Ｒ先端に固定された上部連結用ギア５３Ｒと、右幅測定部５０Ｒの内部に固定された下部連結用ギア５４Ｒは、タイミングベルト５５Ｒによって連動するように構成されている。このため、上部連結用ギア５３Ｒと、下部連結用ギア５４Ｒは同じ方向に回転するようになっている。
【００３２】
また、幅測定部５０Ｌ，５０Ｒには、下部連結用ギア５４Ｌ，５４Ｒと同軸にて回転可能な電流電極調節用ピニオン５６Ｌ，５６Ｒが設けられている。また、電流電極調節用ピニオン５６Ｌ，５６Ｒは、下部連結用ギア５４Ｌ，５４Ｒと同じ方向に回転するよう、回転可能に幅測定部５０Ｌ，５０Ｒに固定されている。なお、本実施形態において、下部連結用ギア５４Ｌ，５４Ｒと電流電極調節用ピニオン５６Ｌ，５６Ｒのギア比は「５：１」に設定されている。
【００３３】
また、幅測定部５０Ｌ，５０Ｒには、電流電極調節用ピニオン５６Ｌ，５６Ｒとそれぞれ互いに噛み合うように、電流電極調節用ラック５７Ｌ，５７Ｒが設けられている。幅測定部５０Ｌ，５０Ｒの内部において下面５０Ｌｃ，５０Ｒｃには、対称線ＴＳと平行するように調節補助経路５８Ｌ，５８Ｒが溝をなして形成されている。そして、電流電極調節用ラック５７Ｌ，５７Ｒには、図示しない係合部が下方向へ突出して形成されており、当該係合部が調節補助経路５８Ｌ，５８Ｒの溝内を移動するようになっている。また、幅測定部５０Ｌ，５０Ｒには電流電極調節用ラック５７Ｌ，５７Ｒに形成された係合部が調節補助経路５８Ｌ，５８Ｒの溝から外れないように、電流電極調節用ラック５７Ｌ，５７Ｒを上方から下方へ押さえつける部材が設けられている。
【００３４】
また、電流電極調節用ラック５７Ｌ，５７Ｒの後方部には、電流電極支持部２３Ｌ，２３Ｒの端部（先端部）が移動枠２６ｃ，２６ｄから突出するように、もう一方の端部（固定端部）が固定されている。また、電流電極支持部２３Ｌ，２３Ｒの固定端部は、電流電極支持部２３Ｌ，２３Ｒが前後方向へ回動可能に電流電極調節用ラック５７Ｌ，５７Ｒに固定されている。また、電流電極支持部２３Ｌ，２３Ｒと電流電極調節用ラック５７Ｌ，５７Ｒの間には、左右方向へ弾性力を備えるように電流電極調節用バネ５９Ｌ，５９Ｒが設けられている。そして、電流電極調節用バネ５９Ｌ，５９Ｒによって、電流電極支持部２３Ｌ，２３Ｒの固定端部を中心に先端部が移動する距離の範囲が予め設定される。また、電流電極支持部２３Ｌ，２３Ｒの先端部は、電流電極調節用バネ５９Ｌ，５９Ｒによって、測定部位の膨張（腹囲の大きさ）に合わせて左右方向に移動する。
【００３５】
また、電流電極支持部２３Ｌ，２３Ｒの先端部には、使用者の測定部位と接触する側面に、使用者の測定部位と接触する方向を向けて電流電極２１，２２が設けられている。このため、電流電極支持部２３Ｌ，２３Ｒの先端部において使用者の測定部位と接触する側面に設けられた電流電極２１，２２は、電流電極調節用バネ５９Ｌ，５９Ｌの弾性力によって測定部位に密接（接触）するようになっている。
【００３６】
電流電極支持部２３Ｌは、幅測定部５０Ｌに設けられた電流電極調節用ピニオン５６Ｌと、電流電極支持部２３Ｌが固定された電流電極調節用ラック５７Ｌによるラック・ピニオン構造を介して、幅測定部５０Ｌと連結されている。同様に、電流電極支持部２３Ｒは、幅測定部５０Ｒに設けられた電流電極調節用ピニオン５６Ｒと、電流電極支持部２３Ｒが固定された電流電極調節用ラック５７Ｒによるラック・ピニオン構造を介して、幅測定部５０Ｒと連結されている。
【００３７】
また、幅測定部５０Ｌ，５０Ｒには、突出部４７Ｌ，４７Ｒから、更に、本体部４１の内部に収納されるように突出する平面状の延長突出部４８Ｌ，４８Ｒが本体部４１の面４１ａ，４１ｂと平行するように形成されている。そして、延長突出部４８Ｌ，４８Ｒにおいて面４１ａ，４１ｂ側には、面４１ａ，４１ｂと平行するように連結用ラック６０Ｌ，６０Ｒが設けられている。また、本体部４１の内部において下面４１ｅには、面４１ａ，４１ｂと平行するように、調節補助経路６１Ｌ，６１Ｒが溝をなして形成されている。幅測定部５０Ｌ，５０Ｒの延長突出部４８Ｌ，４８Ｒには図示しない係合部が下方へ突出するように形成されており、当該係合部が調節補助経路６１Ｌ，６１Ｒの溝内を移動するようになっている。また、本体部４１には幅測定部５０Ｌ，５０Ｒの延長突出部４８Ｌ，４８Ｒに形成された係合部が調節補助経路６１Ｌ，６１Ｒの溝から外れないように、幅測定部５０Ｒ，５０Ｌを上方から下方へ押さえつける部材が設けられている。
【００３８】
また、本体部４１には、連結用ラック６０Ｌ，６０Ｒと互いに噛み合う連結用ピニオン６２Ｌ，６２Ｒが回転可能に固定されている。また、本体部４１には、連結用ピニオン６２Ｌ，６２Ｒと同軸にて回転可能な電圧電極調節用ピニオン６３Ｌ，６３Ｒが設けられている。また、電圧電極調節用ピニオン６３Ｌ，６３Ｒは、連結用ピニオン６２Ｌ，６２Ｒの回転に連動して、連結用ピニオン６２Ｌ，６２Ｒと同じ方向に回転するように、本体部４１に固定されている。なお、本実施形態において、連結用ピニオン６２Ｌ，６２Ｒと電圧電極調節用ピニオン６３Ｌ，６３Ｒのギア比は「３：１」に設定されている。
【００３９】
また、本体部４１には、電圧電極調節用ピニオン６３Ｌ，６３Ｒと互いに噛み合う電圧電極調節用ラック６４Ｌ，６４Ｒが設けられたＬ字状の部材６４Ｌａ，６４Ｒａが設けられている。電圧電極調節用ラック６４Ｌが設けられたＬ字状の部材６４Ｌａは、本体部４１の内部において、部材６４Ｌａの端部が左（移動枠２６ｃ側）に位置するとともに、もう一方の端部が後方（移動枠２６ａ側）を向くように、本体部４１の内部に配置される。同様に、電圧電極調節用ラック６４Ｒが設けられたＬ字状の部材６４Ｒａは、本体部４１の内部において、部材６４Ｒａの端部が右（移動枠２６ｄ側）に位置するとともに、もう一方の端部が後方（移動枠２６ｂ側）を向くように、本体部４１の内部に配置される。また、部材６４Ｌａ，６４Ｒａは、部材６４Ｌａ，６４Ｒａの端部のうち後方へ向けて配置された端部の先端が、移動枠２６ａ，２６ｂから突出するように、本体部４１に配置されている。そして、部材６４Ｌａ，６４Ｒａにおいて、左右方向に配置される端部において後方に位置する部分には、電圧電極調節用ピニオン６３Ｌ，６３Ｒと互いに噛み合う電圧電極調節用ラック６４Ｌ，６４Ｒが設けられている。
【００４０】
本体部４１の内部において下面４１ｅには、対称線ＴＳに直交する左右方向に移動するよう、調節補助経路６５Ｌ，６５Ｒが溝をなして形成されている。部材６４Ｌａ，６４Ｒａには図示しない係合部が下方へ突出して形成されており、当該係合部が調節補助経路６５Ｌ，６５Ｒの溝内を移動するようになっている。また、本体部４１には部材６４Ｌａ，６４Ｒａに形成された係合部が調節補助経路６５Ｌ，６５Ｒの溝から外れないように、部材６４Ｌａ，６４Ｒａを上方から下方へ押さえつける部材が設けられている。
【００４１】
また、部材６４Ｌａ，６４Ｒａの端部のうち後方を向けて配置される端部の先端には、電圧電極支持部３３Ｌ，３３Ｒが固定されている。また、電圧電極支持部３３Ｌ，３３Ｒにおいて使用者の測定部位と接触する面には、使用者の測定部位と接触する方向（図４では、後方）を向けて電圧電極３１，３２が設けられている。
【００４２】
電圧電極支持部３３Ｌは、本体部４１に設けられた電圧電極調節用ピニオン６３Ｌと、電圧電極支持部３３Ｌが固定された部材６４Ｌａに設けられた電圧電極調節用ラック６４Ｌによるラック・ピニオン構造を介して、本体部４１と連結されている。同様に、電圧電極支持部３３Ｒは、本体部４１に設けられた電圧電極調節用ピニオン６３Ｒと、電圧電極支持部３３Ｒが固定された部材６４Ｒａに設けられた電圧電極調節用ラック６４Ｒによるラック・ピニオン構造を介して、本体部４１と連結されている。
【００４３】
本実施形態における体組成測定装置１は、幅測定部５０Ｌ，５０Ｒ間の幅を最大にした状態で、指標部１４を使用者の臍９２と位置合わせする。指標部１４と臍９２との位置合わせを行うと、左幅測定部５０Ｌと右幅測定部５０Ｒとの間に、使用者の腹部９１が位置することになる。そして、使用者は、左幅測定部５０Ｌにおいて左側（内側）に位置する面５０Ｌａが使用者の腹部９１の左側部に接するように、左幅測定部５０Ｌの位置を移動させる。同様に、使用者は、右幅測定部５０Ｒにおいて右側（内側）に位置する面５０Ｒａが使用者の腹部９１の右側部に接するように、右幅測定部５０Ｒの位置を移動させる。その後、操作部１２を操作して、腹部９１の体組成を測定する。
【００４４】
以下、本実施形態の作用について説明する。
体組成測定装置１の幅測定部５０Ｌ，５０Ｒ間の幅を最大にするために、左幅測定部５０Ｌを左方向に移動可能な地点まで移動させるとともに、右幅測定部５０Ｒを右方向に移動可能な地点まで移動させる。そして、使用者の腹部９１の左側面と右側面に、左幅測定部５０Ｌの面５０Ｌａと右幅測定部５０Ｒの面５０Ｒａをそれぞれ接触させるために、各幅測定部５０Ｌ，５０Ｒの位置を、本体部４１を左右に２等分する対称線ＴＳの方向へ移動させる。このとき、左幅測定部５０Ｌの位置は左右方向において右方向へ、右幅測定部５０Ｒの位置は左右方向において左方向へ、それぞれ移動させる。
【００４５】
幅測定部５０Ｌ，５０Ｒの位置を移動させると、幅調節用ピニオン５１Ｌ，５１Ｒが幅調節用ラック５２Ｌ，５２Ｒと噛み合って、回転する。幅調節用ラック５２Ｌ，５２Ｒと互いに噛み合う幅調節用ピニオン５１Ｌ，５１Ｒが回転すると、連動して、上部連結用ギア５３Ｌ，５３Ｒが、幅調節用ピニオン５１Ｌ，５１Ｒと同じ方向に回転する。上部連結用ギア５３Ｌ，５３Ｒが回転すると、タイミングベルト５５Ｌ，５５Ｒによって、下部連結用ギア５４Ｌ，５４Ｒが、上部連結用ギア５３Ｌ，５３Ｒと同じ方向に回転する。
【００４６】
下部連結用ギア５４Ｌ，５４Ｒが回転すると、連動して、電流電極調節用ピニオン５６Ｌ，５６Ｒが、下部連結用ギア５４Ｌ，５４Ｒと同じ方向に回転する。電流電極調節用ピニオン５６Ｌ，５６Ｒが回転すると、電流電極調節用ピニオン５６Ｌ，５６Ｒと互いに噛み合う電流電極調節用ラック５７Ｌ，５７Ｒが、調節補助経路５８Ｌ，５８Ｒに沿って移動する。このとき、図４において、電流電極調節用ピニオン５６Ｌが時計回りに回転するとき、電流電極調節用ラック５７Ｌは、後方へと移動する。一方、図４において、電流電極調節用ピニオン５６Ｌが反時計回りに回転するとき、電流電極調節用ラック５７Ｌは前方へと移動する。同様に、図４において、電流電極調節用ピニオン５６Ｒが時計回りに回転するとき電流電極調節用ラック５７Ｒは前方へ移動し、電流電極調節用ピニオン５６Ｒが反時計回りに回転するとき電流電極調節用ラック５７Ｒは後方へ移動する。
【００４７】
なお、本実施形態では、前述したように、下部連結用ギア５４Ｌ，５４Ｒと電流電極調節用ピニオン５６Ｌ，５６Ｒのギア比は、「５：１」に設定されている。このため、電流電極調節用ラック５７Ｌ，５７Ｒの位置は、幅測定部５０Ｌ，５０Ｒの位置を移動させた距離の「１／５」の距離だけ、幅測定部５０Ｌ，５０Ｒにおいて前後方向に移動する。具体的には、幅測定部５０Ｌ，５０Ｒの位置が「５」移動する場合、幅測定部５０Ｌ，５０Ｒにおいて移動枠２６ｅ，２６ｆに沿って前後方向に電流電極調節用ラック５７Ｌ，５７Ｒは「１」移動する。
【００４８】
また、本体部４１の面４１ａ，４１ｂは、本体部４１を左右に２等分する面と直交する方向から角度φをなして形成されている。このため、面４１ａに沿って位置を移動させる左幅測定部５０Ｌと、面４１ｂに沿って位置を移動させる右幅測定部５０Ｒは、左右方向への位置の移動とともに、前後方向への位置の移動も行われる。
【００４９】
因みに、幅測定部５０Ｌ，５０Ｒの位置が前後方向へ移動する距離Ｂは、式（１）に示すように、左右方向へ移動する距離Ａに角度φの正接を乗算することによって求めることができる。
【００５０】
Ｂ＝Ａ×ｔａｎφ…（１）
本実施形態では、幅測定部５０Ｌ，５０Ｒ間の幅を小さくするために幅測定部５０Ｌ，５０Ｒの位置を移動させる場合、体組成測定装置１において幅測定部５０Ｌ，５０Ｒの位置は前方へ移動する。一方で、幅測定部５０Ｌ，５０Ｒにおいて電流電極２１，２２の位置は後方へ移動する。同様に、幅測定部５０Ｌ，５０Ｒの位置を幅測定部５０Ｌ，５０Ｒ間の幅を大きくするために移動させる場合、体組成測定装置１において幅測定部５０Ｌ，５０Ｒの位置は後方へ移動する。一方で、幅測定部５０Ｌ，５０Ｒにおいて電流電極２１，２２の位置は前方へ移動する。すなわち、電流電極２１，２２が設けられた電流電極支持部２３Ｌ，２３Ｒが固定されている幅測定部５０Ｌ，５０Ｒが移動する前後方向と、電流電極２１，２２が幅測定部５０Ｌ，５０Ｒにおいて移動する前後方向は逆方向となっている。
【００５１】
そして、本実施形態では、幅測定部５０Ｌ，５０Ｒが前後方向に移動する距離Ｂが、幅測定部５０Ｌ、５０Ｒにおいて電流電極２１，２２が移動する距離Ｃよりも大きい距離になるよう、角度φが設定されている。このため、幅測定部５０Ｌ，５０Ｒの位置を移動させた場合、電流電極２１，２２は、体組成測定装置１において距離Ｂから距離Ｃを差し引いた距離だけ前後方向に移動する。
【００５２】
また、幅測定部５０Ｌ，５０Ｒの位置が移動すると、幅測定部５０Ｌ，５０Ｒの延長突出部４８Ｌ，４８Ｒに設けられた連結用ラック６０Ｌ，６０Ｒが調節補助経路６１Ｌ，６１Ｒに沿って移動する。それとともに、連結用ラック６０Ｌ，６０Ｒと互いに噛み合う連結用ピニオン６２Ｌ，６２Ｒが回転する。連結用ラック６０Ｌ，６０Ｒと互いに噛み合う連結用ピニオン６２Ｌ，６２Ｒが回転すると、連動して、電圧電極調節用ピニオン６３Ｌ，６３Ｒが、連結用ピニオン６２Ｌ，６２Ｒと同じ方向に回転する。
【００５３】
そして、電圧電極調節用ピニオン６３Ｌ，６３Ｒが回転すると、電圧電極調節用ピニオン６３Ｌ，６３Ｒと互いに噛み合う電圧電極調節用ラック６４Ｌ，６４Ｒが設けられたＬ字状の部材６４Ｌａ，６４Ｒａの位置が、調節補助経路６５Ｌ，６５Ｒに沿って移動する。このとき、図４において、電圧電極調節用ピニオン６３Ｌが時計回りに回転するとき部材６４Ｌａは、電圧電極調節用ラック６４Ｌを介して、本体部４１を左右に２等分する対称線ＴＳに近づく右方向へと移動する。一方で、図４において、電圧電極調節用ピニオン６３Ｌが反時計回りに回転するとき部材６４Ｌａは、電圧電極調節用ラック６４Ｌを介して、対称線ＴＳから遠ざかる左方向へと移動する。同様に、図４において、電圧電極調節用ピニオン６３Ｒが時計回りに回転するとき部材６４Ｒａは、電圧電極調節用ラック６４Ｒを介して、対称線ＴＳから遠ざかる右方向へと移動する。一方で、電圧電極調節用ピニオン６３Ｒが反時計回りに回転するとき部材６４Ｒａは、電圧電極調節用ラック６４Ｒを介して、対称線ＴＳに近づく左方向へと移動する。
【００５４】
なお、本実施形態では、前述したように、連結用ピニオン６２Ｌ，６２Ｒと電圧電極調節用ピニオン６３Ｌ，６３Ｒのギア比は、「３：１」に設定されている。このため、電圧電極調節用ラック６４Ｌ，６４Ｒが設けられた部材６４Ｌａ，６４Ｒａの位置は、幅測定部５０Ｌ，５０Ｒの位置を移動させた距離の「１／３」の距離だけ、左右方向に移動する。具体的には、幅測定部５０Ｌ，５０Ｒの位置が「３」移動する場合、本体部４１の面４１ｃにおいて移動枠２６ａ，２６ｂに沿って左右方向に部材６４Ｌａ，６４Ｒａは「１」移動する。
【００５５】
このように、本実施形態では、ピニオン５１Ｌ，５６Ｌ，６２Ｌ，６３Ｌと、ラック５２Ｌ，５７Ｌ，６０Ｌ，６４Ｌと、ギア５３Ｌ，５４Ｌによって、電極位置調整機構が構成されている。同様に、ピニオン５１Ｒ，５６Ｒ，６２Ｒ，６３Ｒと、ラック５２Ｒ，５７Ｒ，６０Ｒ，６４Ｒと、ギア５３Ｒ，５４Ｒによって、電極位置調整機構が構成されている。
【００５６】
次に、幅測定部５０Ｌ，５０Ｒの位置を移動させた際の、電流電極２１，２２の位置が移動する軌跡（軌道）について、図５に基づき説明する。図５において、破線によって囲まれる領域は、人体９の測定部位である腹部９１を輪切りにしてモデル化したモデル断面である。図５に示す第１モデル断面Ｌ１（以下、「断面Ｌ１」と示す場合がある）、第２モデル断面Ｌ２（以下、「断面Ｌ２」と示す場合がある）、及び第３モデル断面Ｌ３（以下、「断面Ｌ３」と示す場合がある）は、腹囲の長さが異なって互いに相似な形状である。
【００５７】
断面Ｌ１に対して体組成測定装置１を使用した際、断面Ｌ１の左側面に左幅測定部５０Ｌが接触する点を体側点ＳＬ１、断面Ｌ１の右側面に右幅測定部５０Ｒが接触する点を体側点ＳＲ１とする。また、断面Ｌ１に対して体組成測定装置１を使用したとき、各電流電極２１，２２が位置する点を電流電極点ＲＴ１１，ＲＴ２１として、図５に示す。
【００５８】
断面Ｌ２に対して体組成測定装置１を使用する際、体側点ＳＬ１から、断面Ｌ２の左側面に左幅測定部５０Ｌが接する点となる体側点ＳＬ２まで、体組成測定装置１における左幅測定部５０Ｌの位置が右方へ距離αだけ移動される。同様に、断面Ｌ２に対して体組成測定装置１を使用する際、体側点ＳＲ１から、断面Ｌ２の右側面に右幅測定部５０Ｒが接する点となる体側点ＳＲ２まで、体組成測定装置１における右幅測定部５０Ｒの位置が左方へ距離αだけ移動される。
【００５９】
また、幅測定部５０Ｌ，５０Ｒ間の幅を小さくするために幅測定部５０Ｌ，５０の位置を左右方向に距離αだけ移動させた場合、幅測定部５０Ｌ，５０Ｒにおける電流電極２１，２２の位置は、距離αを５（ギア比）で除算した距離α／５だけ後方へ移動する。一方で、幅測定部５０Ｌ，５０Ｒ間の幅を小さくするために幅測定部５０Ｌ，５０の位置を左右方向に距離αだけ移動させた場合、体組成測定装置１における幅測定部５０Ｌ，５０Ｒの位置は、距離α×ｔａｎφだけ前方へ移動する。このように、幅測定部５０Ｌ，５０Ｒ間の幅を小さくするために幅測定部５０Ｌ，５０の位置を左右方向に距離αにだけ移動させた場合、体組成測定装置１における電流電極２１，２２の位置は、距離「α×ｔａｎφ−α／５」だけ前方へ移動する。また、断面Ｌ２に対して体組成測定装置１を使用したとき、各電流電極２１，２２が位置する点を電流電極点ＲＴ１２，ＲＴ２２として、図５に示す。
【００６０】
また、断面Ｌ３に対して体組成測定装置１を使用する際、体側点ＳＬ１から、断面Ｌ３の左側面に左幅測定部５０Ｌが接する点となる体側点ＳＬ３まで、体組成測定装置１における左幅測定部５０Ｌの位置が右方へ距離βだけ移動される。同様に、断面Ｌ３に対して体組成測定装置１を使用する際、体側点ＳＲ１から、断面Ｌ３の右側面に右幅測定部５０Ｒが接する点となる体側点ＳＲ３まで、体組成測定装置１における右幅測定部５０Ｒの位置が左方へ距離βだけ移動される。
【００６１】
また、幅測定部５０Ｌ，５０Ｒ間の幅を小さくするために体組成測定装置１における幅測定部５０Ｌ，５０Ｒの位置を左右方向に距離βだけ移動させる。このとき、幅測定部５０Ｌ，５０Ｒにおける電流電極２１，２２の位置は、距離βを５（ギア比）で除算した距離β／５だけ後方へ移動する。一方で、幅測定部５０Ｌ，５０Ｒ間の幅を小さくするために幅測定部５０Ｌ，５０の位置を左右方向に距離βだけ移動させた場合、体組成測定装置１における幅測定部５０Ｌ，５０Ｒの位置は、距離β×ｔａｎφだけ前方へ移動する。つまり、幅測定部５０Ｌ，５０Ｒ間の幅を小さくするために幅測定部５０Ｌ，５０の位置を左右方向に距離βだけ移動させた場合、体組成測定装置１における電流電極２１，２２の位置は、距離「β×ｔａｎφ−β／５」だけ前方へ移動する。また、断面Ｌ２に対して体組成測定装置１を使用したとき、各電流電極２１，２２が位置する点を電流電極点ＲＴ１３，ＲＴ２３として、図５に示す。
【００６２】
このように、電流電極２１，２２の位置が左右方向に移動した距離α又は距離βに対して、「ｔａｎφ−１／５」を乗算した距離（一定割合の距離）だけ、体組成測定装置１における電流電極２１，２２の位置が前後方向に移動する。このため、電流電極２１，２２の位置は、移動前の位置から、本体部４１を左右に２等分するとともに、人体９を左右に２等分する対称線ＴＳに直交する方向から、前後方向へ角度θ（第２の角度）をなす軌道ＫＤ１上を移動することになる。
【００６３】
次に、幅測定部５０Ｌ，５０Ｒの位置を移動させた際の、電圧電極３１，３２の位置が移動する軌跡（軌道）について、図６に基づき説明する。なお、図６では、断面Ｌ１に対して体組成測定装置１を使用したとき、各電圧電極３１，３２が位置する点を電圧電極点ＲＴ３１，ＲＴ４１として示す。
【００６４】
断面Ｌ２に対して体組成測定装置１を使用する際、体側点ＳＬ１から、断面Ｌ２の左側面に左幅測定部５０Ｌが接する点となる体側点ＳＬ２まで、体組成測定装置１における左幅測定部５０Ｌの位置が右方へ距離αだけ移動される。同様に、断面Ｌ２に対して体組成測定装置１を使用する際、体側点ＳＲ１から、断面Ｌ２の右側面に右幅測定部５０Ｒが接する点となる体側点ＳＲ２まで、体組成測定装置１における右幅測定部５０Ｒの位置が左方へ距離αだけ移動される。
【００６５】
また、幅測定部５０Ｌ，５０Ｒ間の幅を小さくするために体組成測定装置１における幅測定部５０Ｌ，５０の位置を左右方向に距離αだけ移動させる。このとき、体組成測定装置１における電圧電極３１，３２の位置は、距離αを３（ギア比）で除算した距離α／３だけ左右方向に移動する。また、断面Ｌ２に対して体組成測定装置１を使用したとき、各電圧電極３１，３２が位置する点を電圧電極点ＲＴ３２，ＲＴ４２として、図６に示す。なお、電圧電極３１，３２の位置は、前後方向に移動しないようになっているため、左右方向にのみ距離α／３だけ移動する。
【００６６】
また、断面Ｌ３に対して体組成測定装置１を使用する際、体側点ＳＬ１から、断面Ｌ３の左側面に左幅測定部５０Ｌが接する点となる体側点ＳＬ３まで、体組成測定装置１における左幅測定部５０Ｌの位置が右方へ距離βだけ移動される。同様に、断面Ｌ３に対して体組成測定装置１を使用する際、体側点ＳＲ１から、断面Ｌ３の右側面に右幅測定部５０Ｒが接する点となる体側点ＳＲ３まで、体組成測定装置１における右幅測定部５０Ｒの位置が左方へ距離βだけ移動される。
【００６７】
また、幅測定部５０Ｌ，５０Ｒ間の幅を小さくするために幅測定部５０Ｌ，５０の位置を左右方向に距離βだけ移動させた場合、体組成測定装置１における電圧電極３１，３２の位置は、距離βを３（ギア比）で除算した距離β／３だけ左右方向に移動する。また、断面Ｌ３に対して体組成測定装置１を使用したとき、各電圧電極３１，３２が位置する点を電圧電極点ＲＴ３３，ＲＴ４３として、図６に示す。なお、電圧電極３１，３２の位置は、前後方向に移動しないようになっているため、左右方向にのみ距離β／３だけ移動する。
【００６８】
このように、電圧電極３１，３２の位置が左右方向に移動した距離α又は距離βに対して、「１／３」を乗算した距離（一定割合の距離）だけ、体組成測定装置１における電圧電極３１，３２の位置が左右方向に移動する。このため、電圧電極３１，３２の位置は、移動前の位置から、本体部４１を左右に２等分するとともに、人体９を左右に２等分する対称線ＴＳに直交する方向（角度０（第１の角度））をなす軌道ＫＤ２上を移動することになる。
【００６９】
また、図５及び図６に示すように、体組成測定装置１における幅測定部５０Ｌ，５０Ｒの位置が左右方向に移動する距離α（又は、β）に対して、体組成測定装置１における電流電極２１，２２の位置は同じ距離αだけ左右方向に移動する。一方で、体組成測定装置１における電圧電極３１，３２の位置は、距離αを３で除算した距離α／３だけ左右方向に移動する。すなわち、体組成測定装置１において電流電極２１，２２が左右方向に移動する距離に対して、体組成測定装置１における電圧電極３１，３２が左右方向に移動する距離は小さくなっている。
【００７０】
人体９の測定部位となる腹部９１は、左右方向の幅は前後方向の幅と比較して長くなっているため、上方から下方へモデル断面を見る場合には、楕円形状をしている。また、電圧電極３１，３２が接触する腹部９１の部分は、腹部９１において前方寄りの部分であるため、左右方向が短い。一方で、電流電極２１，２２が接触する腹部９１の部分は、腹部９１において中心寄りの部分であるため、電圧電極３１，３２が接触する腹部９１の部分の左右方向の幅よりも長い。このため、幅測定部５０Ｌ，５０Ｒの位置が移動した距離に対して、電圧電極３１，３２の位置が左右方向に移動する距離は、電流電極２１，２２の位置が左右方向に移動する距離よりも短く設定されている。
【００７１】
本実施形態によれば、以下の効果を奏することができる。
（１）腹部９１（測定部位）の幅に合わせて幅測定部５０Ｌ，５０Ｒを移動させた距離に対して一定割合（１／３）の距離だけ、対称線ＴＳに対して直交する左右方向（第１の角度の方向）に、電圧電極３１，３２の位置が移動される。また、腹部９１の幅に合わせて幅測定部５０Ｌ，５０Ｒを移動させた距離に対して一定割合（ｔａｎφ−１／５）の距離だけ、前後方向に電流電極２１，２２の位置が移動される。それとともに、幅測定部５０Ｌ，５０Ｒを移動させた距離に対して一定割合の距離（同じ距離）だけ、左右方向に電流電極２１，２２の位置が移動される。すなわち、電流電極２１，２２の位置は、左右方向に移動する距離に対して、前後方向に移動する距離だけ進む方向（対称線ＴＳに対して直交する方向から角度θの方向（第２の角度の方向））に移動する。すなわち、電圧電極３１，３２と電流電極２１，２２の位置は、使用者の腹部９１の幅が異なる（腹囲の大きさが異なる）場合でも、予め定められた角度の方向へ（軌道上を）、幅測定部５０Ｌ，５０Ｒが移動した距離に対して一定割合の距離だけ移動される。
【００７２】
このため、電流電極２１，２２と電圧電極３１，３２との距離が、測定部位となる腹部９１に対して一定の割合で変化する。また、電流電極２１，２２と電圧電極３１，３２の角度をほぼ一定に保つことができる。このため、測定部位の体組成を精度良く測定することが可能となる。
【００７３】
（２）電圧電極３１，３２の位置が移動されることに連動して、電流電極２１，２２の位置も移動されるようにした。これにより、電極２１，２２，３１，３２の位置が別々に移動されないので、一部の電極（例えば、電圧電極３１）の位置だけが、予め決められた位置関係とならない位置になるようなことを防ぐことができる。
【００７４】
（３）腹部９１（測定部位）の幅に調節するために移動される幅測定部５０Ｌ，５０Ｒの位置が移動された距離に対して、一定割合の距離だけ所定の方向に各電極２１，２２，３１，３２の位置が移動される。また、幅測定部５０Ｌ，５０Ｒの位置が腹部９１の幅に調節されて移動されることに連動して、電流電極２１，２２と電圧電極３１，３２の位置が調整されるようにした。そして、幅測定部５０Ｌ，５０Ｒの位置が測定部位の幅に調節されれば、各電極２１，２２，３１，３２の位置まで位置合わせされるようにした。これにより、電極２１，２２，３１，３２の位置を別々に配置する必要がなくなり、一部の電極（例えば、電圧電極３１）だけ予め決められた位置関係となる位置に位置しないようなことを防ぐことができる。
【００７５】
（４）電流電極支持部２３Ｌ，２３Ｒの先端部が、電流電極調節用バネ５９Ｌ，５９Ｒの弾性力によって、測定部位の膨張（腹囲の大きさ）に合わせて左右方向に回動するようにした。このため、電流電極支持部２３Ｌ，２３Ｒの先端部において使用者の測定部位と接触する方向を向けて設けられた電流電極２１，２２は、電流電極調節用バネ５９Ｌ，５９Ｌの弾性力によって測定部位に密接（接触）させることができる。
【００７６】
（５）左幅測定部５０Ｌの位置と右幅測定部５０Ｒの位置を別々に移動させるようにした。このため、測定部位となる腹部９１の形状が左右対称とならない形状であっても、各電極２１，２２，３１，３２が移動する軌道は、相似する形状の腹部に対しては同一となる。
【００７７】
（６）調節補助経路５８Ｌ，５８Ｒを、対称線ＴＳと平行するように、幅測定部５０Ｌ，５０Ｒの内部において下面５０Ｌｃ，５０Ｒｃに形成した。また、調節補助経路６５Ｌ，６５Ｒを、対称線ＴＳに直交するように、本体部４１の内部において下面４１ｅに形成した。これにより、調節補助経路５８Ｌ，５８Ｒ，６５Ｌ，６５Ｒを対称線ＴＳに対して斜め方向（例えば、２°や６°など）に傾けて形成する場合よりも、設計及び製造を容易に行うことができる。
【００７８】
（第２実施形態）
図７を参照して、本発明の第２実施形態について説明する。なお、第１実施形態と同様の構成については、同一の符号を付してその説明を省略又は簡略化する。
【００７９】
本実施形態の体組成測定装置１は、幅測定部５０Ｌ，５０Ｒの位置が測定部位である腹部９１の左側点及び右側点まで移動され、幅測定部５０Ｌ，５０Ｒの面５０Ｌａ，５０Ｒａが腹部９１に接触したことを検知する検知機器７０が設けられている。検知機器７０は、左幅測定部５０Ｌと右幅測定部５０Ｒにおいて、使用者の腹部９１と接する面５０Ｌａ，５０Ｒａにそれぞれ設けられている。
【００８０】
検知機器７０は、電線を介して制御部１１に接続されている。また、検知機器７０は、使用者の腹部９１に接触したことを検知すると、幅測定部５０Ｌ，５０Ｒの面５０Ｌａ，５０Ｒａが腹部９１と接触したこと（位置合わせされたこと）を示す信号を制御部１１に出力する。また、制御部１１には、幅測定部５０Ｌ，５０Ｒの面５０Ｌａ，５０Ｒａが腹部９１と接触したことを示す信号が入力される。
【００８１】
以下、検知機器７０の構成について、図７に基づき説明する。図７では、右幅測定部５０Ｒにおいて、使用者の腹部９１と接する面５０Ｒａに設けられた検知機器７０を拡大して示す。なお、図示しないが、左幅測定部５０Ｌにおいて、使用者の腹部９１と接する面５０Ｌａには、図７と同様の検知機器７０が設けられており、その説明は省略する。
【００８２】
右幅測定部５０Ｒの面５０Ｒａに設けられた検知機器７０は、面５０Ｒａと平行する長板状の接触板７１を備えている。接触板７１は、左右方向へ移動可能に面５０Ｒａに固定されている。
【００８３】
また、接触板７１において面５０Ｒａ側には、立方体の形状をした支柱７２が接触板７１に固定されている。また、支柱７２と面５０Ｒａの間には、左右方向へ弾性力を備えるように接触用バネ７３が設けられている。また、接触用バネ７３と面５０Ｒａの間には押しボタン式のスイッチＳＷが設けられており、スイッチＳＷは、スイッチＳＷにて押圧される押圧部を接触板７１の方向（図７では、左方）を向けて面５０Ｒａに固定されている。また、右幅測定部５０Ｒの面５０Ｒａに設けられた検知機器７０のスイッチＳＷの押圧部が押圧されると、制御部１１に対して、右幅測定部５０Ｒの面５０Ｒａが腹部９１に接触したことを示す信号が出力される。同様に、左幅測定部５０Ｌの面５０Ｌａに設けられた検知機器７０のスイッチＳＷの押圧部が押圧されると、制御部１１に対して、左幅測定部５０Ｌの面５０Ｌａが腹部９１に接触したことを示す信号が出力される。
【００８４】
このように、本実施形態における検知機器７０は、接触板７１と、支柱７２、接触用バネ７３、及びスイッチＳＷによって構成されている。
以下、本実施形態の作用について説明する。
【００８５】
幅測定部５０Ｌ，５０Ｒの位置を腹部９１の幅に位置合わせされると、検知機器７０において最も使用者側に位置する接触板７１に使用者の腹部９１が接触する。接触板７１に腹部９１が接触すると、接触板７１は、使用者が位置する方向とは逆方向（面５０Ｒａの検知機器７０の場合は、右方）に移動する。接触板７１の位置が移動することに伴って、接触板７１が取り付けられた支柱７２も、接触板７１と同様、使用者が位置する方向とは逆方向（面５０Ｌａの検知機器７０の場合は、左方）に移動する。また、支柱７２の位置が、使用者が位置する方向とは逆方向に移動すると、接触用バネ７３を介して、スイッチＳＷの押圧部が押圧される。これにより、制御部１１に対して左幅測定部５０Ｌの面５０Ｌａ又は右幅測定部５０Ｒの面５０Ｒａが腹部９１に接触したことを示す信号が出力される。
【００８６】
また、接触板７１が腹部９１に接触していない場合、接触板７１は、接触用バネ７３の弾性力によって予め決められた位置に移動される。
本実施形態によれば、上記第１実施形態の（１）〜（６）に記載の効果に加えて、以下の効果を奏することができる。
【００８７】
（７）検知機器７０によって、幅測定部５０Ｌ，５０Ｒの面５０Ｌａ，５０Ｒａが腹部９１に接触したことを検知できるようにした。これによって、幅測定部５０Ｌ，５０Ｒの位置を、腹部９１の幅に位置合わせされる位置まで確実に移動させることができる。また、幅測定部５０Ｌ，５０Ｒの位置が移動することに伴って、各電極２１，２２，３１，３２の位置も移動される。このとき、各電極２１，２２，３１，３２の位置は、予め定められた角度の方向へ（軌道上を）、腹部９１の幅に幅測定部５０Ｌ，５０Ｒの位置が位置合わせされるまでに幅測定部５０Ｌ，５０Ｒが移動した距離に対して一定割合の距離だけ移動される。このため、電流電極２１，２２と電圧電極３１，３２との距離が、測定部位となる腹部９１に対して一定の割合で変化する。また、電流電極２１，２２と電圧電極３１，３２の角度をほぼ一定に保つことができる。このため、測定部位の体組成を精度良く測定することが可能となる。
【００８８】
（８）接触板７１は、左右方向に弾性力を備える接触用バネ７３を介して幅測定部５０Ｌ，５０Ｒの面５０Ｌａ，５０Ｒａに固定されている。接触用バネ７３の弾性力によって、確実に接触板７１を腹部９１に密接（接触）させることができる。
【００８９】
（第３実施形態）
図８を参照して、本発明の第３実施形態について説明する。なお、第１実施形態と同様の構成については、同一の符号を付してその説明を省略または簡略化する。
【００９０】
本実施形態の体組成測定装置１は、左幅測定部５０Ｌと右幅測定部５０Ｒのうち何れか一方の位置が移動された場合、それに連動して、他方の位置も移動されるように構成されている。
【００９１】
本実施形態の体組成測定装置１の本体部４１には、図８に示すように、互いに噛み合うように左右連動用ギア７５Ｌ，７５Ｒが設けられている。また、左右連動用ギア７５Ｌは、連結用ピニオン６２Ｌと互いに噛み合うように、回転可能に本体部４１に固定されている。また、左右連動用ギア７５Ｒは、連結用ピニオン６２Ｒと互いに噛み合うように、回転可能に本体部４１に固定されている。
【００９２】
また、本実施形態の体組成測定装置１は、幅測定部５０Ｌ，５０Ｒ間の幅、つまり、測定部位となる腹部９１の幅を計測する計測機器８０を備えている。
本実施形態の体組成測定装置１の本体部４１には、図８に示すように、腹部９１の幅を計測する計測機器８０として可変抵抗８０ａが取り付けられている。可変抵抗８０ａは、図示しない回転軸を備えており、当該回転軸の回転量に応じて、抵抗値を可変させるように構成されている。そして、可変抵抗８０ａは、可変抵抗８０ａの回転軸と、左右連動用ギア７５Ｒの回転軸が同軸上になるように本体部４１に固定されている。また、可変抵抗８０ａの回転軸は、左右連動用ギア７５Ｒの回転軸に固定されている。可変抵抗８０ａの抵抗値は、左右連動用ギア７５Ｒが回転した量（回転量）に応じて可変するようになっている。
【００９３】
以下、本実施形態の作用について説明する。
図８において左幅測定部５０Ｌの位置が右方へ移動されると、連結用ラック６０Ｌが調節補助経路６１Ｌに沿って右方へ移動し、連結用ピニオン６２Ｌが時計回りに回転する。連結用ピニオン６２Ｌが時計回りに回転すると、連結用ピニオン６２Ｌの回転に連動して、左右連動用ギア７５Ｌが反時計回りに回転する。左右連動用ギア７５Ｌが反時計回りに回転すると、左右連動用ギア７５Ｌの回転に連動して、左右連動用ギア７５Ｒが時計回りに回転する。また、左右連動用ギア７５Ｒが時計回りに回転すると、左右連動用ギア７５Ｒの回転に連動して、連結用ピニオン６２Ｒが反時計回りに回転する。連結用ピニオン６２Ｒが反時計回りに回転すると、連結用ラック６０Ｒが調節補助経路６１Ｒに沿って左方へ移動するため、右幅測定部５０Ｒの位置が左方へ移動される。
【００９４】
このとき、幅測定部５０Ｌ，５０Ｒ間の幅を小さくするために左幅測定部５０Ｌの位置が（左方へ）移動された場合、連動して右幅測定部５０Ｒの位置も幅測定部５０Ｌ，５０Ｒ間の幅を小さくする方向（右方）へ移動される。一方で、幅測定部５０Ｌ，５０Ｒ間の幅を大きくするために左幅測定部５０Ｌの位置が（右方へ）移動された場合、連動して右幅測定部５０Ｒの位置も幅測定部５０Ｌ，５０Ｒ間の幅を大きくする方向（左方）へ移動される。
【００９５】
可変抵抗８０ａの回転軸は、左右連動用ギア７５Ｒの回転軸に固定されているため、可変抵抗８０ａの抵抗値は、左右連動用ギア７５Ｒが回転した量（回転量）に応じて可変するようになっている。すなわち、可変抵抗８０ａの抵抗値を計測することによって、左右連動用ギア７５Ｒの回転量を特定することができる。また、左右連動用ギア７５Ｒは、前述したように、左幅測定部５０Ｌ及び右幅測定部５０Ｒの位置が移動する場合に回転するため、左右連動用ギア７５Ｒの回転量を特定することにより、幅測定部５０Ｌ，５０Ｒ間の幅を特定できる。
【００９６】
本実施形態によれば、上記第１実施形態の（１）〜（４）及び（６）に記載の効果に加えて、以下の効果を奏することができる。
（９）左幅測定部５０Ｌと右幅測定部５０Ｒのうち何れか一方の位置が移動された場合、連動して他方の位置も移動されるようにした。すなわち、左幅測定部５０Ｌと右幅測定部５０Ｒの位置が移動する距離と、対称線ＴＳに対して移動する方向（幅測定部５０Ｌ，５０Ｒ間を小さくする方向又は大きくする方向）は同一となる。このため、左幅測定部５０Ｌと右幅測定部５０Ｒのうち何れか一方の位置が移動された距離が、他方の位置が移動した距離よりも長く（又は、短く）なり、各電極２１，２２，３１，３２が位置する位置に誤差が生じることを防ぐことができる。
【００９７】
（１０）腹部９１の幅を計測する計測機器８０を設けた。このため、腹部９１の幅を測定することができるようになるため、腹部９１の幅から腹部９１の外周の長さを算出することができるようになる。
【００９８】
（その他の実施形態）
なお、本発明の実施態様は上記各実施形態に限られるものではなく、例えば以下に示すように変更することもできる。また以下の変形例は、上記各実施形態についてのみ適用されるものではなく、異なる変形例同士を互いに組み合わせて実施してもよい。
【００９９】
・上記第１実施形態〜第３実施形態において、測定部位となる腹部９１の皮下脂肪を測定する皮脂厚センサを設けても良い。例えば、測定部位と接触する電流電極支持部２３Ｌ，２３Ｒの先端部や幅測定部５０Ｌ，５０Ｒの面５０Ｌａ，５０Ｒａに、皮脂厚センサを設けても良い。皮脂厚センサによって、皮下脂肪を測定する場合、全体の体脂肪から皮下脂肪を差し引くことによって、他の脂肪（例えば、内蔵脂肪）の量を算出することができる。
【０１００】
・上記第１実施形態〜第３実施形態において、幅測定部５０Ｌ，５０Ｒが腹部９１に対して接触された圧力を測定する接触圧力センサを設けても良い。これにより、腹部９１に対して幅測定部５０Ｌ，５０Ｒが接触してから移動した距離を算出することができる。このため、腹部９１の幅を正確に算出することができるようになるため、体組成をより精度良く測定することができる。
【０１０１】
・上記第３実施形態において、可変抵抗８０ａの抵抗を可変させる左右連動用ギア７５Ｒを変更しても良い。例えば、電圧電極調節用ピニオン６３Ｌの回転軸と可変抵抗８０ａの回転軸を同軸とし、各回転軸を固定するように可変抵抗８０ａを本体部４１に固定するようにしても良い。これにより、電圧電極調節用ピニオン６３Ｌが回転した量（回転量）に応じて、可変抵抗８０ａの抵抗を可変させるようにしても良い。
【０１０２】
・上記第３実施形態において、幅測定部５０Ｌ，５０Ｒの位置が移動した距離を測定するセンサを備えても良い。例えば、図９に示すように、幅測定部５０Ｒの延長突出部４８Ｒの上面に光センサ用の目印８７を設け、光センサ８８によって目印８７を読み取ることによって、延長突出部４８Ｒが移動した距離（幅測定部５０Ｒの位置が移動した距離）を測定するようにしても良い。
【０１０３】
・上記第１実施形態〜第３実施形態において、本体部４１の指標部１４と、人体９の臍９２の位置合わせが行われたことを検知するセンサ９５を設けても良い。例えば、図１０に示すように、本体部４１において腹部９１と接する面４１ｃであって、且つ、本体部４１を左右に２等分する線上にセンサ９５を配置するようにしても良い。そして、センサ９５は、臍９２の凹凸を検知することによって、指標部１４と臍９２の位置合わせが行われたことを検知するようにしても良い。
【０１０４】
・上記第３実施形態において、複数のピニオン及びギアのうち何れか一つのピニオン又はギアを駆動させる駆動源（例えば、モータ）を設けても良い。更に、第２実施形態に記載の幅測定部５０Ｌ，５０Ｒの面５０Ｌａ，５０Ｒａが腹部９１に接触したことを検知する検知機器７０を設けても良い。これにより、幅測定部５０Ｌ，５０Ｒ間の幅が自動に調節されるため、使用者自ら幅測定部５０Ｌ，５０Ｒの位置を調整しなくても良くなるので、楽になる。
【０１０５】
・上記第１実施形態〜第３実施形態において、操作部１２を把持部４０Ｒ，４０Ｌに設けても良い。これにより、使用者は把持部４０Ｒ，４０Ｌから手を離すことなく操作部１２を操作することができる。
【０１０６】
・上記第１実施形態〜第３実施形態において、調節補助経路５８Ｌ，５８Ｒを対称線ＴＳと平行しないよう対称線ＴＳに対して所定角度を成して形成するようにしても良い。例えば、図４において、調節補助経路５８Ｌ，５８Ｒの前方部を対称線ＴＳに近づく方向に向けて、調節補助経路５８Ｌ，５８Ｒを形成しても良い。これにより、電流電極２１，２２の位置を、より測定部位に近づく方向に移動させることができ、電流電極２１，２２を測定部位に接触させることができる。
【０１０７】
・上記第１実施形態〜第３実施形態において、調節補助経路６５Ｌ，６５Ｒを対称線ＴＳに対して所定角度を成して左右方向に形成するようにしても良い。例えば、図４において、調節補助経路６５Ｌ，６５Ｒの両端部のうち対称線ＴＳに近い端部を後方へ向けて、調節補助経路６５Ｌ，６５Ｒを形成しても良い。これにより、電圧電極３１，３２の位置を、より測定部位に近づく方向に移動させることができ、電圧電極３１，３２を測定部位に接触させることができる。
【０１０８】
・上記第１実施形態〜第３実施形態において、幅測定部５０Ｌ，５０Ｒを移動させたときに、電流電極２１，２２の位置と電圧電極３１，３２の位置のうち何れか一方の位置だけ移動されるように構成しても良い。
・上記第１実施形態〜第３実施形態において、本体部４１の後方に位置する面のうち面４１ｃ両端から左右方向へ広がるように延びる面４１ａ，４１ｂを、本体部４１を２等分する面と直交する方向から、前方へ角度θをなして形成しても良い。この場合、幅測定部５０Ｌ，５０Ｒの位置が移動することに伴って幅測定部５０Ｌ，５０Ｒにおける電流電極２１，２２の位置を移動させなくても良い。幅測定部５０Ｌ，５０Ｒにおける電流電極の位置を移動させなくても、幅測定部５０Ｌ，５０Ｒの位置が移動することに伴って、体組成測定装置１における電流電極２１，２２の位置を軌道ＫＤ１上で移動させることができる。
【０１０９】
（課題を解決するための手段に関する付記）
〔付記１〕
一対の電流電極および一対の電圧電極を備える体組成測定装置において、
体組成の測定対象である人体の測定部位のうちの予め決められた基準部位と前記体組成測定装置との位置関係を合わせるための位置基準点と、
前記体組成測定装置と前記基準部位との位置関係を合わせ、前記測定部位を挟むように位置が調節される幅測定部と、
前記電流電極および前記電圧電極の少なくとも一方の位置を調節する電極位置調整機構と
を備え、
前記幅測定部の位置が調節されることに連動して前記電圧電極および前記電流電極の少なくとも一方の位置が前記電極位置調整機構により調節され、
前記幅測定部の位置が調節されることに連動して前記電圧電極の位置が調節される場合、前記幅測定部が移動した距離に対して一定の割合の距離だけ前記電圧電極の位置が第１の方向に移動し、
前記幅測定部の位置が調節されることに連動して前記電流電極の位置が調節される場合、前記幅測定部が移動した距離に対して一定の割合の距離だけ前記電流電極の位置が第２の方向に移動する
体組成測定装置。
〔付記２〕
前記電流電極が前記幅測定部に対して移動する軌道と前記本体部の幅方向とのなす角が鋭角であり、前記電圧電極が前記本体部に対して移動する軌道と前記本体部の幅方向とが平行である
付記１に記載の体組成測定装置。
〔付記３〕
前記幅測定部が前記測定部位に接触したことを検知する検知機器をさらに備える
付記１または２に記載の体組成測定装置。
〔付記４〕
前記幅測定部の移動距離を計測する計測機器をさらに備える
付記１〜３のいずれか一項に記載の体組成測定装置。
〔付記５〕
前記幅測定部を移動させる駆動源をさらに備える
付記１〜４のいずれか一項に記載の体組成測定装置。
〔付記６〕
前記基準部位が前記人体の臍である
付記１〜５のいずれか一項に記載の体組成測定装置。
〔付記７〕
前記測定部位の皮下脂肪を測定するセンサをさらに備える
付記１〜６のいずれか一項に記載の体組成測定装置。
【符号の説明】
【０１１０】
１      ：体組成測定装置
２      ：電極群
９      ：人体
１１    ：制御部
１２    ：操作部
１３    ：表示部
１４    ：指標部（位置基準点）
２０    ：電流電極対
２１    ：第１電流電極
２２    ：第２電流電極
２３Ｌ  ：電流電極支持部
２３Ｒ  ：電流電極支持部
２６ａ  ：移動枠
２６ｂ  ：移動枠
２６ｃ  ：移動枠
２６ｄ  ：移動枠
２６ｅ  ：移動枠
２６ｆ  ：移動枠
３０    ：電圧電極対
３１    ：第１電圧電極
３２    ：第２電圧電極
３３Ｌ  ：電圧電極支持部
３３Ｒ  ：電圧電極支持部
４０Ｌ  ：把持部
４０Ｒ  ：把持部
４１    ：本体部
４１ａ  ：面
４１ｂ  ：面
４１ｃ  ：面
４１ｄ  ：上面
４１ｅ  ：下面
４７Ｌ  ：突出部
４７Ｒ  ：突出部
４８Ｌ  ：延長突出部
４８Ｒ  ：延長突出部
４９Ｌ  ：調節補助経路
４９Ｒ  ：調節補助経路
５０    ：幅測定部
５０Ｌ  ：左幅測定部
５０Ｌａ：面
５０Ｌｂ：面
５０Ｌｃ：下面
５０Ｒ  ：右幅測定部
５０Ｒａ：面
５０Ｒｂ：面
５０Ｒｃ：下面
５１Ｌ  ：幅調節用ピニオン
５１Ｒ  ：幅調節用ピニオン
５２Ｌ  ：幅調節用ラック
５２Ｒ  ：幅調節用ラック
５３Ｌ  ：上部連結用ギア
５３Ｒ  ：上部連結用ギア
５４Ｌ  ：下部連結用ギア
５４Ｒ  ：下部連結用ギア
５５Ｌ  ：タイミングベルト
５５Ｒ  ：タイミングベルト
５６Ｌ  ：電流電極調節用ピニオン
５６Ｒ  ：電流電極調節用ピニオン
５７Ｌ  ：電流電極調節用ラック
５７Ｒ  ：電流電極調節用ラック
５８Ｌ  ：調節補助経路
５８Ｒ  ：調節補助経路
５９Ｌ  ：電流電極調節用バネ
５９Ｒ  ：電流電極調節用バネ
６０Ｌ  ：連結用ラック
６０Ｒ  ：連結用ラック
６１Ｌ  ：調節補助経路
６１Ｒ  ：調節補助経路
６２Ｌ  ：連結用ピニオン
６２Ｒ  ：連結用ピニオン
６３Ｌ  ：電圧電極調節用ピニオン
６３Ｒ  ：電圧電極調節用ピニオン
６４Ｌ  ：電圧電極調節用ラック
６４Ｌａ：部材
６４Ｌａ：部材
６４Ｒ  ：電圧電極調節用ラック
６４Ｒａ：部材
６４Ｒａ：部材
６５Ｌ  ：調節補助経路
６５Ｒ  ：調節補助経路
７０    ：検知機器
７１    ：接触板
７２    ：支柱
７３    ：接触用バネ
７５Ｌ  ：左右連動用ギア
７５Ｒ  ：左右連動用ギア
８０    ：計測機器
８０ａ  ：可変抵抗
８７    ：目印
８８    ：光センサ
９１    ：腹部（測定部位）
９２    ：臍（基準部位）
９５    ：センサ
ＳＷ    ：スイッチ
α      ：距離
β      ：距離
θ      ：角度
φ      ：角度
Ｌ１    ：第１モデル断面
Ｌ２    ：第２モデル断面
Ｌ３    ：第３モデル断面
ＴＳ    ：対称線
ＨＳＬ  ：線
ＫＤ１  ：軌道
ＫＤ２  ：軌道
ＳＬ１  ：体側点
ＳＬ２  ：体側点
ＳＬ３  ：体側点
ＳＲ１  ：体側点
ＳＲ２  ：体側点
ＳＲ３  ：体側点
ＲＴ１１：電流電極点
ＲＴ１２：電流電極点
ＲＴ１３：電流電極点
ＲＴ２１：電流電極点
ＲＴ２２：電流電極点
ＲＴ２３：電流電極点
ＲＴ３１：電圧電極点
ＲＴ３２：電圧電極点
ＲＴ３３：電圧電極点
ＲＴ４１：電圧電極点
ＲＴ４２：電圧電極点
ＲＴ４３：電圧電極点
Ａ      ：距離
Ｂ      ：距離
Ｃ      ：距離
【図１】
0005874036.tif 000002
【図２】
0005874036.tif 000003
【図３】
0005874036.tif 000004
【図４】
0005874036.tif 000005
【図５】
0005874036.tif 000006
【図６】
0005874036.tif 000007
【図７】
0005874036.tif 000008
【図８】
0005874036.tif 000009
【図９】
0005874036.tif 000010
【図１０】
0005874036.tif 000011
【図１１】
0005874036.tif 000012
【図１２】
0005874036.tif 000013